(57)【要約】【課題】畑等の地面または手元の植木鉢等への播種を簡単かつ確実に行う。【解決手段】種子を収納したキャップ付きの容器の下端の種子の排出口の下端から水平方向に適間隔をおいた下方に案内管を垂設し、排出口の下端と案内管の上端の間に水平方向摺動自在にスライダを支持し、このスライダが排出口側に移動した位置で排出口下側位置のスライダに透孔を形成し、播種する種子の大きさに応じた内径を有する種子通過リングをスライダの透孔に着脱自在に装着し、スライダの排出口側端部にハンドルを取り付け、付勢手段により前記スライダをハンドル側方向に付勢して播種器を構成する。使用に際しては、案内管を播種位置の地面に挿入し、ハンドルを押し込むと、容器内の種子が一定個数案内管を落下して播種される。【選択図】  図１
2004261097.tif 000002
【特許請求の範囲】
【請求項１】
透明材により形成されて種子を収納するとともに下端に種子の排出口が形成されかつ本体部に着脱自在に取り付けられるキャップ付きの容器と、
前記排出口の下端から水平方向に適間隔をおいて下方に垂設された案内管と、
前記排出口の下端と前記案内管の上端の間に水平方向摺動自在に支持されたスライダと、
このスライダを少なくとも前記排出口の下端と前記案内管の上端の間を収容・保持する支持体と、
前記スライダが排出口側に移動した位置で排出口下側位置のスライダに形成された透孔と、
播種する種子の大きさに応じた内径を有し前記スライダの透孔に着脱自在に装着される種子通過リングと、
前記スライダの排出口側端部に取り付けられたハンドルと、
前記スライダをハンドル側方向に付勢する付勢手段と、
を備えたことを特徴とする播種器。
【請求項２】
請求項１に記載の播種器において、
前記案内管の下端に昇降自在に支持された蓋と、
前記ハンドルと前記蓋との間に接続されハンドルの押し込み動作を蓋の下降動作に変換して伝達する伝達機構と、
を備えたことを特徴とする播種器。
【請求項３】
請求項１または２に記載の播種器において、
前記案内管の下端近くの外周部にフランジを形成したことを特徴とする播種器。
【請求項４】
請求項１または２または３に記載の播種器において、
前記案内管の上端部を交換可能な取り付け構造としたことを特徴とする播種器。
【発明の詳細な説明】
【０００１】
【発明の属する技術分野】
本発明は、作業者が立った姿勢で畑等の地面に播種したり、手元の植木鉢等に播種したりする際に使用する播種器に関する。
【０００２】
【従来の技術】
従来、立った姿勢で畑等の地面に播種する器具として「種蒔き器」（特許文献１参照。）がある。これは、上端のタンクに種子を入れておき、下端のパイプを地中に差し込み、所定数の種子を蒔くことができる。
【０００３】
【特許文献１】
特開２０００−１１６２０８号公報
【０００４】
【発明が解決しようとする課題】
しかしながら、上述した「種蒔き器」は、使用の際に、一方の手で上部のタンク部分を把持し、他方の手でタンク下方のパイプの途中を把持して上下に移動させる操作をして種子を蒔くため、使い勝手がよくないという課題があった。そこで、本発明は、片手で操作することができて、操作性にすぐれた播種器を提案することを目的とした。
【０００５】
【課題を解決するための手段】
そこで上記課題を解決するために、請求項１の発明は、透明材により形成されて種子を収納するとともに下端に種子の排出口が形成されかつ本体部に着脱自在に取り付けられるキャップ付きの容器と、前記排出口の下端から水平方向に適間隔をおいて下方に垂設された案内管と、前記排出口の下端と前記案内管の上端の間に水平方向摺動自在に支持されたスライダと、このスライダを少なくとも前記排出口の下端と前記案内管の上端の間を収容・保持する支持体と、前記スライダが排出口側に移動した位置で排出口下側位置のスライダに形成された透孔と、播種する種子の大きさに応じた内径を有し前記スライダの透孔に着脱自在に装着される種子通過リングと、前記スライダの排出口側端部に取り付けられたハンドルと、前記スライダをハンドル側方向に付勢する付勢手段とを備えたことを特徴とする。
【０００６】
請求項２の発明は、請求項１の発明において、前記案内管の下端に昇降自在に支持された蓋と、前記ハンドルと前記蓋との間に接続されハンドルの押し込み動作を蓋の下降動作に変換して伝達する伝達機構とを備えたことを特徴とする。
【０００７】
請求項３の発明は、請求項１または２の発明において、前記案内管の下端近くの外周部にフランジを形成したことを特徴とする。
【０００８】
請求項４の発明は、請求項１または２または３の発明において、前記案内管の上端部を交換可能な取り付け構造としたことを特徴とする。
【０００９】
【発明の実施の形態】
以下、図に基づいて本発明の実施形態を説明する。
図１は本発明に係る播種器の上部と下部を破断して示した部分断面図あり、図２は図１の左側面図である。図において、１は透明材からなる容器であり、種子が収納される。容器１は上端にキャップ２が嵌着され、下端外周部にオネジが形成され本体３に着脱自在に螺着されている。また、容器１の下端内側は窄められて種子の排出口４が形成されている。排出口４の下側の本体３内には、スライダ５が水平方向に摺動自在に支持されている。スライダ５が摺動して左側に位置している状態で、排出口４の下側に位置するスライダ５の部分に透孔６が垂直方向に穿設され、その透孔６内に種子通過リング７が着脱自在に装着されている。種子通過リング７の中心部には、さらに透孔が形成され、排出口４から落下する種子の個数を制限するように構成されている。この種子通過リング７はその透孔の径の異なるものを複数個用意しておき、播種する種子の粒径および１回に播種する種子数に応じて使い分けるようにする。
【００１０】
また、スライダ５が摺動して右側に位置している状態で、種子通過リング７の中心位置の下側の本体３に、種子通過リング７の透孔よりも大径の落下孔８が穿たれている。落下孔８の下部にはメネジが形成され案内管９が下方から着脱自在に螺着されている。スライダ５の右方の本体３内に形成された空間には圧縮コイルばね１１が装着され、スライダ５を左方向に押圧付勢している。スライダ５の左端の本体３の外側には、上下方向のハンドル１２が一体的に取り付けられている。ハンドル１２の下端には、リンク１３が着脱自在に連結され、リンク１３の他端は昇降ロッド１４に連結されている。昇降ロッド１４は、上部と下部の２箇所で案内管９の外側に固定された支持台１５，１６により摺動自在に支持されることにより昇降動作が可能である。
【００１１】
昇降ロッド１４の下端は、内側に屈曲され、案内管９の側面に形成された開口部１７から案内管９の内部に進入し、案内管９の下端を覆う蓋１８に接続されている。案内管９の下端近くの外周部にはフランジ１９が形成されている。このフランジ１９は、案内管９が地中に挿入される場合に、挿入深さを一定にする働きをする。この案内管９は、長さが異なるもの、およびフランジ１９の高さが異なるものを複数個用意しておき、作業に応じて交換して使用する。なお、地表面に播種する場合等は、案内管９は蓋１８および昇降ロッド１４、またはフランジ１９がない構成とすることも可能である。
【００１２】
図３は、図１および図２に示した播種器の動作を示す説明図である。作業に当たり、先ず、作業員の身長や、畑等の地面に播種するのかあるいは手元にある植木鉢等に播種するのかにより、最適な長さと最適なフランジ深さの案内管９を選択して、本体３に取り付ける。次に、容器１を本体３から取り外して、播種する種子の大きさおよび１回に播種する個数に応じて最適な種子通過リング７を選択してスライダ５に装着し、容器１を本体３に取り付ける。次に、容器１からキャップ２を外し、内部に種子を入れて再度キャップ２を取り付ける。以上の準備が完了すると、次は図ａのように、案内管９を地面に垂直に保ち、先端部を地中に挿入する。挿入深さは、フランジ１９の下面が地面に接触するところを目安とする。なお、このとき案内管９の下端は蓋１８により塞がれている。また、このとき、播種器のスライダ５は、圧縮コイルばね１１に付勢されて左側に移動して、種子通過リング７が排出口４の真下に位置している。ここで、容器１内の種子（図示せず）は、排出口４を通り、種子通過リング７内に一定個数落下している。
【００１３】
次に、作業員がハンドル１２の部分を握り、ハンドル１２を矢印方向に押し込むと、図ｂに示されるように、スライダ５は圧縮コイルばね１１を圧縮しながら右方向に移動し、種子通過リング７が落下孔８の上に達する。すると、種子通過リング７の移動とともに移動してきた種子通過リング７内の種子（図示せず）は、落下孔８を通り案内管９内を落下する。このとき同時に、ハンドル１２が右に移動したことにより、ハンドル１２の下端に連結されているリンク１３の上端部が右に移動して、リンク１３の他端が下方に移動し昇降ロッド１４が下降する。次いで、昇降ロッド１４の下端の蓋１８が地中に進入し、案内管９の下端と蓋１８との間に隙間が生じる。この隙間を通り、上方から落下してきた種子が外部に放出される。
【００１４】
次に、作業員は、ハンドル１２を押し込んだままで播種器を持ち上げ、案内管９を地中から抜き取る。その結果、地面の所定の深さに所定の個数の種子が播種される。次に、作業員が、ハンドル１２から手を離すことにより、スライダ５と蓋１８が元の位置に戻る。次いで、作業員は次の播種位置に移動して、上述の播種作業を繰り返す。このようにして、畑等の地面に所定の深さに所定の個数の種子を播種する作業が確実にしかも能率よく行えるようになる。なお、手元の植木鉢に播種する場合も、短い案内管９を用いることで、片手操作で確実にしかも能率よく播種作業が行える。
【００１５】
また、上述した播種器では、本体３と容器１をねじ止め構造としておき、スライダ５の種子通過リング７を交換する場合に、本体３から容器１を取り外して交換するようにしているため、種子通過リング７の交換作業が簡単である。また、上述した播種器では、ハンドル１２の動作を蓋１８に伝達するために、リンク１３と昇降ロッド１４を用いたが、ワイヤ等を用いることも可能である。
【００１６】
【発明の効果】
以上述べたように本発明によれば、播種する種子を容器に入れるとともに、その種子の大きさに応じた種子通過リングを装着しておき、案内管を地面に挿入した後ハンドルを押し込むと、容器内の種子が一定個数、案内管内を落下して播種される。
特に、ハンドルの押し込み動作とともに案内管下端の蓋が下降して開口され、その間を通って種子が地中に播種されるため播種が確実となる。
また、案内管の下端近くの外周部にフランジが形成されているため、案内管先端の地中に挿入される深さが一定となり、均一な深さの播種ができる。
さらに、案内管が交換可能なため、案内管を短いものに交換すると、片手操作で手元の植木鉢等への播種が可能となる。
【図面の簡単な説明】
【図１】本発明に係る播種器の実施形態の上部と下部を破断した部分断面図である。
【図２】図１の左側面図である。
【図３】播種器の動作を示す説明図である。
【符号の説明】
１  容器
２  キャップ
３  本体
４  排出口
５  スライダ
６  透孔
７  種子通過リング
８  落下孔
９  案内管
１１  圧縮コイルばね
１２  ハンドル
１３  リンク
１４  昇降ロッド
１５，１６  支持台
１７  開口部
１８  蓋
１９  フランジ
【図１】
2004261097.tif 000003
【図２】
2004261097.tif 000004
【図３】
2004261097.tif 000005